【手続補正書】
【提出日】平成25年9月26日(2013.9.26)
【手続補正１】
【補正対象書類名】明細書
【補正対象項目名】発明の名称
【補正方法】変更
【補正の内容】
【発明の名称】コンデンサ切替回路及び発光回路、プロジェクタ並びにコンデンサ切替方法
【手続補正２】
【補正対象書類名】明細書
【補正対象項目名】０００１
【補正方法】変更
【補正の内容】
【０００１】
本発明は、コンデンサ切替回路及び発光回路、プロジェクタ並びにコンデンサ切替方法に関し、特に、電位を維持したままコンデンサの切り替えが可能になる技術に関する。
【手続補正３】
【補正対象書類名】明細書
【補正対象項目名】００３８
【補正方法】変更
【補正の内容】
【００３８】
本発明の一態様にかかるコンデンサ切替回路は、
第１の電圧と第２の電圧とが交互に供給される電力供給のラインに接続されるコンデンサ切替回路であって、
前記電力供給のラインに正極端が接続される第１コンデンサと、
前記電力供給のラインに正極端が接続される第２コンデンサと、
前記第１コンデンサの負極端と基準電位のラインとの間に接続される第１スイッチング素子と、
前記第２コンデンサの負極端と前記基準電位のラインとの間に接続される第２スイッチング素子と、
前記電力供給のラインに前記第１の電圧が供給される期間に、前記第１スイッチング素子を導通させ、且つ、前記電力供給のラインに前記第２の電圧が供給される期間に、前記第１スイッチング素子を遮断させる第１コンデンサ接続制御回路と、
前記電力供給のラインに前記第２の電圧が供給される期間に、前記第２スイッチング素子を導通させ、且つ、前記電力供給のラインに前記第１の電圧が供給される期間に、前記第２スイッチング素子を遮断させる第２コンデンサ接続制御回路と、
前記第１の電圧が前記第２の電圧よりも高い場合、前記電力供給のラインに供給される電圧が前記第１の電圧から前記第２の電圧に切り替えられるタイミングで、前記第１スイッチング素子の遮断状態を維持する遮断状態維持回路と、
を備えることを特徴とする。
【手続補正４】
【補正対象書類名】明細書
【補正対象項目名】００３９
【補正方法】変更
【補正の内容】
【００３９】
上記コンデンサ切替回路において、
前記遮断状態維持回路は、
前記第１スイッチング素子の制御端子を駆動する制御信号を前記基準電位に対するダイオードシンクとハイインピーダンスが組み合わされた出力に変換する変換回路と、
前記第１スイッチング素子の前記制御端子と前記第１コンデンサの負極端とを接続する抵抗と、
を備えていることが望ましい。
上記コンデンサ切替回路において、
前記遮断状態維持回路は、
前記第１コンデンサの負極端と、前記第１スイッチング素子の前記制御端子と、の間を所定期間短絡する短絡回路、
をさらに備えていることが望ましい。
上記コンデンサ切替回路において、
前記第１スイッチング素子は、２個のＦＥＴが直列に接続されたものであることが望ましい。
また、本発明の他の態様にかかる発光装置は、
前記コンデンサ切替回路と、
前記電力供給のラインの電圧により駆動される発光素子と、
を備えることを特徴とする。
さらに、本発明の他の態様にかかるプロジェクタは、
前記発光装置と、
前記発光装置より発光される光により画像を投影させる投影手段と、
を備えることを特徴とする。
【手続補正５】
【補正対象書類名】明細書
【補正対象項目名】００４０
【補正方法】変更
【補正の内容】
【００４０】
本発明の他の態様にかかるコンデンサ切替方法は、
第１の電圧と第２の電圧とが交互に供給される電力供給のラインに接続されるコンデンサ切替回路のコンデンサ切替方法であって、
前記コンデンサ切替回路は、
前記電力供給のラインに正極端が接続される第１コンデンサと、
前記電力供給のラインに正極端が接続される第２コンデンサと、
前記第１コンデンサの負極端と基準電位のラインとの間に接続される第１スイッチング素子と、
前記第２コンデンサの負極端と前記基準電位のラインとの間に接続される第２スイッチング素子と、
を含み、
前記電力供給のラインに前記第１の電圧が供給される期間に、前記第１スイッチング素子を導通させ、且つ、前記電力供給のラインに前記第２の電圧が供給される期間に、前記第１スイッチング素子を遮断させる第１コンデンサ接続制御ステップと、
前記電力供給のラインに前記第２の電圧が供給される期間に、前記第２スイッチング素子を導通させ、且つ、前記電力供給のラインに前記第１の電圧が供給される期間に、前記第２スイッチング素子を遮断させる第２コンデンサ接続制御ステップと、
前記第１の電圧が前記第２の電圧よりも高い場合、前記電力供給のラインに供給される電圧が前記第１の電圧から前記第２の電圧に切り替えられるタイミングで、前記第１スイッチング素子の遮断状態を維持する遮断状態維持ステップと、
を含むことを特徴とする。
【手続補正６】
【補正対象書類名】特許請求の範囲
【補正対象項目名】全文
【補正方法】変更
【補正の内容】
【特許請求の範囲】
【請求項１】
第１の電圧と第２の電圧とが交互に供給される電力供給のラインに接続されるコンデンサ切替回路であって、
前記電力供給のラインに正極端が接続される第１コンデンサと、
前記電力供給のラインに正極端が接続される第２コンデンサと、
前記第１コンデンサの負極端と基準電位のラインとの間に接続される第１スイッチング素子と、
前記第２コンデンサの負極端と前記基準電位のラインとの間に接続される第２スイッチング素子と、
前記電力供給のラインに前記第１の電圧が供給される期間に、前記第１スイッチング素子を導通させ、且つ、前記電力供給のラインに前記第２の電圧が供給される期間に、前記第１スイッチング素子を遮断させる第１コンデンサ接続制御回路と、
前記電力供給のラインに前記第２の電圧が供給される期間に、前記第２スイッチング素子を導通させ、且つ、前記電力供給のラインに前記第１の電圧が供給される期間に、前記第２スイッチング素子を遮断させる第２コンデンサ接続制御回路と、
前記第１の電圧が前記第２の電圧よりも高い場合、前記電力供給のラインに供給される電圧が前記第１の電圧から前記第２の電圧に切り替えられるタイミングで、前記第１スイッチング素子の遮断状態を維持する遮断状態維持回路と、
を備えるコンデンサ切替回路。
【請求項２】
前記遮断状態維持回路は、
前記第１スイッチング素子の制御端子を駆動する制御信号を前記基準電位に対するダイオードシンクとハイインピーダンスが組み合わされた出力に変換する変換回路と、
前記第１スイッチング素子の前記制御端子と前記第１コンデンサの負極端とを接続する抵抗と、
を備える請求項１に記載のコンデンサ切替回路。
【請求項３】
前記遮断状態維持回路は、
前記第１コンデンサの負極端と、前記第１スイッチング素子の前記制御端子と、の間を所定期間短絡する短絡回路、
をさらに備える請求項２に記載のコンデンサ切替回路。
【請求項４】
前記第１スイッチング素子は、２個のＦＥＴが直列に接続されたものである請求項１乃至３の何れかに記載のコンデンサ切替回路。
【請求項５】
請求項１乃至４の何れかに記載のコンデンサ切替回路と、
前記電力供給のラインの電圧により駆動される発光素子と、
備える発光装置。
【請求項６】
請求項５に記載の発光装置と、
前記発光装置より発光される光により画像を投影させる投影手段と、
備えるプロジェクタ。
【請求項７】
第１の電圧と第２の電圧とが交互に供給される電力供給のラインに接続されるコンデンサ切替回路のコンデンサ切替方法であって、
前記コンデンサ切替回路は、
前記電力供給のラインに正極端が接続される第１コンデンサと、
前記電力供給のラインに正極端が接続される第２コンデンサと、
前記第１コンデンサの負極端と基準電位のラインとの間に接続される第１スイッチング素子と、
前記第２コンデンサの負極端と前記基準電位のラインとの間に接続される第２スイッチング素子と、
を含み、
前記電力供給のラインに前記第１の電圧が供給される期間に、前記第１スイッチング素子を導通させ、且つ、前記電力供給のラインに前記第２の電圧が供給される期間に、前記第１スイッチング素子を遮断させる第１コンデンサ接続制御ステップと、
前記電力供給のラインに前記第２の電圧が供給される期間に、前記第２スイッチング素子を導通させ、且つ、前記電力供給のラインに前記第１の電圧が供給される期間に、前記第２スイッチング素子を遮断させる第２コンデンサ接続制御ステップと、
前記第１の電圧が前記第２の電圧よりも高い場合、前記電力供給のラインに供給される電圧が前記第１の電圧から前記第２の電圧に切り替えられるタイミングで、前記第１スイッチング素子の遮断状態を維持する遮断状態維持ステップと、
を含むコンデンサ切替方法。